(57)【要約】【目的】厚みが異なる２種類の記録媒体に対応させたレーザー素子を駆動するドライバーの周辺回路のノイズを軽減可能とする。【構成】第1レーザー素子１を駆動する第１レーザードライバー８と、第２レーザー素子２を駆動する第２レーザードライバー１４と、第１レーザードライバー８及び第２レーザードライバー１４の両方に重畳する高周波信号を発振する発振回路３と、第１レーザードライバー８及び第２レーザードライバー１４に出力する発振回路３の発振周波数を選択する周波数選択回路と、発振回路の高周波信号の出力を第１レーザードライバー８又は第２レーザードライバー１４に選択する出力選択回路とを備え、前記周波数選択回路と出力選択回路を第１レーザードライバー８と第２レーザードライバー１４に選択的に切り替えて使用するようにした。【選択図】    図１ 
2005032394.tif 000002
【特許請求の範囲】
【請求項１】
レーザー波長の異なる第１レーザー素子及び第２レーザー素子を駆動する各レーザー駆動信号を発生すると共に、各レーザー駆動信号を重畳する高周波信号を発振する発振回路を有した光ピックアップのレーザー素子駆動回路であって、第1レーザー素子を駆動する第１レーザードライバーと、第２レーザー素子を駆動する第２レーザードライバーと、第１レーザードライバー及び第２レーザードライバーの両方に重畳する高周波信号を発振する発振回路と、第１レーザードライバー及び第２レーザードライバーに出力する発振回路の発振周波数を選択する周波数選択回路と、発振回路の高周波信号の出力を第１レーザードライバー又は第２レーザードライバーに選択する出力選択回路とを備え、前記周波数選択回路と出力選択回路を第１レーザードライバーと第２レーザードライバーに選択的に切り替えて使用するようにしたことを特徴とする光ピックアップのレーザー素子駆動回路。
【発明の詳細な説明】
【技術分野】
【０００１】
本発明は、レーザー波長の異なる２種類のレーザー素子から発生されるレーザービームを選択的に単一の対物レンズに入射して透明基板の厚みが異なる２種類の記録媒体に対応させた記録及び再生用のレーザー素子と再生専用のレーザー素子を駆動するドライバーの周辺回路に係わる光ピックアップのレーザー素子駆動回路に関する。
【背景技術】
【０００２】
光ピックアップ装置としては、ＣＤ（Compact Disc）の記録密度に適した波長のレーザービームを発光するレーザー素子とＤＶＤ（Digital Versatile Disc）の記録密度に適した波長のレーザービームを発光するレーザー素子との波長の異なる２種類のレーザー光源を用意し、使用するディスクの記録密度に応じて使用する光源の切り替えを行うことにより単一の光ピックアップによって記録密度が異なるＣＤ及びＤＶＤに対応させたものがある。
【０００３】
このような光ピックアップの駆動回路に組み込まれる第１レーザードライバーと第２レーザードライバー及びドライバーを駆動する発信回路はＣＤ用とＤＶＤ用と各々専用の回路として構成されていた。
【０００４】
図２は２種類の波長に対応するレーザー素子と、該レーザードライバーを駆動するドライバーを各々配した回路図であり、５１はＣＤの読み取り及び書き込みを行う第１レーザー素子、５２は第１レーザー素子５１を駆動する第１レーザードライバー、５３は前記第１レーザードライバー５２の出力を設定するＣＤ用発振振幅設定抵抗、５４は前記第１レーザードライバー５２に接続される重畳回路である高周波を発生する発振回路、５５は前記発振回路５４の発振周波数を設定するＣＤ用発振周波数設定抵抗、５６は加算回路であり、ＣＤ再生用データ５７、ＣＤ書き込み用データ５８、消去用データ５９を切り替えて信号が加算され第１レーザードライバー５２に加えるように接続されている。
【０００５】
６０はＣＤ用集積回路６１内の電気回路出力をコントロールする制御端子、６２はＣＤ集積回路６１の電気回路を動作させるための電源供給ライン、６３は前記電源供給ライン６２に乗っているノイズを除去する電源フイルター、６４はＣＤ用集積回路６１のアースラインである。
【０００６】
また、ＤＶＤ回路においては、７１はＤＶＤの読み取り動作を行う第２レーザー素子、７２は第２レーザー素子７１を駆動する第２レーザードライバー、７３は前記第２レーザードライバー７２の出力を設定するＤＶＤ用発振振幅設定抵抗、７４は前記第２レーザードライバー７２に接続される重畳回路である高周波を構成する発振回路、７５は前記発振回路７４の発振周波数を設定するＤＶＤ用発振周波数設定抵抗である。
【０００７】
７６は前記第２レーザー素子７１にレーザーパワーを供給するレーザーパワー供給端子、７７はＤＶＤ用集積回路７８内の電気回路出力をコントロールする制御端子、７９はＤＶＤ集積回路７８内の電気回路を動作させるための電源供給ライン、８０は前記電源供給ライン７９に乗っているノイズを除去する電源フイルター、８１はＣＤ用集積回路のアースラインである。
【０００８】
前述したように光ピックアップの可動部が組みこまれているハウジング内（記載せず）には、ＣＤ用の集積回路６１とＤＶＤ用集積回路７８が配置され、そのいずれかが第1レーザー素子５１または第２レーザー素子７１の近傍に配置され、他方の集積回路はレーザ
ー素子より離れた位置に配置されている。
【特許文献１】特開２００３−９９９６９号
【発明の開示】
【発明が解決しようとする課題】
【０００９】
最近の光ピックアップ装置は超小型薄型化が開発されている。２波長のレーザー素子を使用した光ピックアップ装置において、スペースの関係上不要輻射のノイズを最適に抑えて各部品を組み込むことが非常に困難になっている。
【００１０】
第１レーザー素子とＤＶＤレーザーは、例えばＣＤ回路の重畳回路を組み込んだ集積回路が第１レーザー素子の近傍に配置されるとＤＶＤ回路の集積回路が離れた位置に配置されることとなる。従ってレーザー素子から離れた位置に配置されたＤＶＤ用集積回路の配線は長い距離を配線されることとなり、該配線より多くのノイズが放射され不要輻射の対策に多くの時間を必要とする問題があった。
【００１１】
本発明は、斯かる問題を解決した光ピックアップのレーザー素子駆動回路を提供しようとするものである。
【課題を解決するための手段】
【００１２】
第1レーザー素子を駆動する第１レーザードライバーと、第２レーザー素子を駆動する第２レーザードライバーと、第１レーザードライバー及び第２レーザードライバーの両方に重畳する高周波信号を発振する発振回路と、第１レーザードライバー及び第２レーザードライバーに出力する発振回路の発振周波数を選択する周波数選択回路と、発振回路の高周波信号の出力を第１レーザードライバー又は第２レーザードライバーに選択する出力選択回路とを備え、前記周波数選択回路と出力選択回路を第１レーザードライバーと第２レーザードライバーに選択的に切り替えて使用するようにした。
【発明の効果】
【００１３】
解決しようとする問題点は、ハウジング内の狭い場所にＣＤに使用される重畳回路とＤＶＤに使用される重畳回路の集積回路を配置すると配線の引き回しが複雑になり、ノイズが発生し対策に大きな労力がかかる点である。
【発明を実施するための最良の形態】
【００１４】
部品の配置面積が少なく無理な配置による配線であったが適正な部品配置が可能となり、ＣＤとＤＶＤのレーザー素子の近傍に高周波信号を発振する発振回路を組み込んだ集積回路を配置することが可能となり、重畳回路を組み込んだ集積回路と各レーザー素子の線長を短く配線することができ、不要輻射の低減に大きな効果を得ることができる。
【００１５】
また、重畳回路の発振回路が１系統のため、不要輻射の低減と対策が容易になった。
【００１６】
そして、ＣＤ用の集積回路とＤＶＤ用の集積回路を一つにまとめたので電源フイルターが１個削減できるのでコストの削減になる。
【実施例１】
【００１７】
図１は本発明の一実施例を示す光ピックアップのレーザー素子駆動回路のブロック図である。図において１はＣＤに適した波長、例えば７８０ｎｍのレーザービームを発光するＣＤの書き込み及び再生用の第１レーザー素子、２はＤＶＤに適した波長、例えば６５０ｎｍのレーザービームを発光するＤＶＤ再生用の第２レーザー素子である。
【００１８】
３は第１レーザー素子１および第２レーザー素子２のドライバーに接続される重畳回路
である高周波を発生する発振回路であり、ＣＤ動作時に例えば発振周波数を３００ＭＨｚに設定するＣＤ用周波数設定抵抗４及びＤＶＤ動作時に例えば周波数を４００ＭＨｚに設定するＤＶＤ用周波数設定抵抗５によって発振周波数が設定される。６は前記発振回路３とＣＤ用周波数設定抵抗４の間に設けられた第１周波数切替スイッチであって、ＣＤ用発振回路３の発振出力３００ＭＨｚのＯＮ−ＯＦＦ制御が行われる。７は前記発振回路３とＤＶＤ用周波数設定抵抗５の間に設けられた第２周波数切替スイッチであって、ＤＶＤ用発振周波数の発振出力４００ＭＨｚのＯＮ−ＯＦＦ制御が行われる。
【００１９】
８は前記第１レーザー素子１を駆動する第１レーザードライバー、９は前記第１レーザードライバー８の出力を設定するＣＤ用発振振幅設定抵抗、１０は加算回路であり、ＣＤ再生用データ１１と、ＣＤ書き込み用データ１２および消去用データ１３の動作位置に切り替えられた信号が加算され第１レーザードライバー８に供給するように接続されている。
【００２０】
１４は前記第２レーザー素子２を駆動する第２レーザードライバー、１５は前記第２レーザードライバー１４の出力を設定するＤＶＤ用発振振幅設定抵抗、１６は前記発振回路３の出力信号を第１レーザードライバー８に供給及び停止する第１スイッチ、１７は前記発振回路３の出力信号を第２レーザードライバー１４に供給及び停止する第２スイッチ、１８はＣＤ回路とＤＶＤ回路を切り替えるＣＤ−ＤＶＤ切替信号路であって、前記発振回路３の出力信号はＮＯＴ回路１９を組み合わで構成され、ＣＤ動作時において、発振回路３より第２レーザードライバー１４への出力は第２スイッチ１７をＯＦＦにより停止するとともに第１レーザードライバー８への出力は第１スイッチ１６がＯＮにより通電され、ＤＶＤ動作時において、発振回路３より第１レーザードライバー８への出力は第１スイッチ１６をＯＦＦにし第１レーザードライバー８への出力を停止するとともに第２レーザードライバー１４の出力は第２スイッチ１７がＯＮにより通電され第２レーザードライバー１４に出力されるようにＣＤ−ＤＶＤ切替信号路１８によって制御される。
【００２１】
また、同時にＣＤ−ＤＶＤ切り替え信号路１８の制御信号によって発信回路３をＣＤ用周波数設定抵抗４及びＤＶＤ周波数設定抵抗５を切り替えることにより、レーザー特性に合わせた周波数に発振させる第１周波数切り替えスイッチ６と第２周波数切り替えスイッチ７は、第1レーザー素子１に対応する時には第１周波数切り替えスイッチ６をＯＮ状態とし、第２周波数切り替えスイッチ７はＯＦＦ状態となり、発振回路３は重畳する３００ＭＨｚを発振し、第２レーザー素子２に対応する時には第１周波数切り替えスイッチ６をＯＦＦ状態とし、第２周波数切り替えスイッチ７はＯＮ状態となり発振回路３は重畳する４００ＭＨｚを発振することとなる。
【００２２】
２０は前記発振回路３の発振−停止の制御を行う発振制御端子、２１は第２レーザー素子２にレーザーパワーを供給するレーザーパワー供給端子、２２は重畳回路である高周波を発振する発振回路３と第１レーザードライバー８及び第２レーザードライバー１４等が組み込まれている集積回路、２３は前記集積回路２２に供給される電源供給ライン、２４は前記電源供給ライン２３の電源ラインのノイズを減衰させる電源フイルター、２５は集積回路２２内の電気回路をコントロールする制御端子、２６は集積回路２２のアースラインである。
【００２３】
上述したように従来例で説明したＣＤ用重畳回路とＤＶＤ用重畳回路を別々に配置されていた発振回路を共通化し、スイッチによりレーザーの特性に合せて重畳させる高周波発振出力をＣＤ用とＤＶＤ用の何れかの発振回路に切り替えるとともに、該発振回路の高周波発振出力を対応するレーザー素子の回路に切り替えるように構成したものである。
【産業上の利用可能性】
【００２４】
上述したように、厚みが異なる２種類の記録媒体に対応するレーザー素子を有した光ピックアップ装置に大いに効果がある。
【図面の簡単な説明】
【００２５】
【図１】本発明の光ピックアップレーザー素子駆動回路の一実施例を示すブロック配線図である。
【図２】従来例の一実施例を示す光ピックアップレーザー素子駆動回路の一実施例を示すブロック配線図である。
【符号の説明】
【００２６】
１      第１レーザー素子
２      第２レーザー素子
３      発信回路
６      第1周波数切替えスイッチ
７      第２周波数切替えスイッチ
８      第１レーザードライバー
１４      第２レーザードライバー
１６      第1スイッチ
１７      第２スイッチ
【図１】
2005032394.tif 000003
【図２】
2005032394.tif 000004